Podtech/llm-jp-corpus-v4-ja_patent huggingface dataset:
【誤訳訂正書】
【提出日】平成31年4月11日(2019.4.11)
【誤訳訂正１】
【訂正対象書類名】明細書
【訂正対象項目名】０００８
【訂正方法】変更
【訂正の内容】
【０００８】
本開示の一態様は、トリプルネガティブ乳癌（ＴＮＢＣ）に罹患した患者を治療する方法であって、タウロリジン、タウルルタム、１以上のオキサチアジン様化合物、若しくはこれらの組み合わせで患者を治療すること、又は、タウロリジン、タウルルタム、１以上のオキサチアジン様化合物、及びこれらの組み合わせからなる群から選択される化合物と共に、１以上のチェックポイント阻害剤、ハイパーサーミア（hyperthermia：温熱療法）、低用量化学療法、及びインターロイキン−２（ＩＬ−２）の併用療法からなる群から選択される複数の治療で患者を治療することを含む、方法である。
【誤訳訂正２】
【訂正対象書類名】明細書
【訂正対象項目名】００２６
【訂正方法】変更
【訂正の内容】
【００２６】
本開示の一態様は、トリプルネガティブ乳癌（ＴＮＢＣ）に罹患した患者を治療する方法であって、タウロリジン、タウルルタム、１以上のオキサチアジン様化合物、若しくはこれらの組み合わせで患者を治療すること、又は、タウロリジン、タウルルタム、１以上のオキサチアジン様化合物、及びこれらの組み合わせからなる群から選択される化合物と共に、１以上のチェックポイント阻害剤、ハイパーサーミア、低用量化学療法、及びインターロイキン−２（ＩＬ−２）の併用療法からなる群から選択される複数の治療で患者を治療することを含む、方法である。
【誤訳訂正３】
【訂正対象書類名】明細書
【訂正対象項目名】００９８
【訂正方法】変更
【訂正の内容】
【００９８】
項目１．トリプルネガティブ乳癌（ＴＮＢＣ）に罹患した患者を治療する方法であって、タウロリジン、タウルルタム、１以上のオキサチアジン様化合物、若しくはこれらの組み合わせで患者を治療すること、又は、タウロリジン、タウルルタム、１以上のオキサチアジン様化合物、及びこれらの組み合わせからなる群から選択される化合物と共に、１以上のチェックポイント阻害剤、ハイパーサーミア、低用量化学療法、及びインターロイキン−２（ＩＬ−２）の併用療法からなる群から選択される複数の治療で患者を治療することを含む、方法。
【誤訳訂正４】
【訂正対象書類名】明細書
【訂正対象項目名】０１０９
【訂正方法】変更
【訂正の内容】
【０１０９】
項目１２．順次に、患者に１以上のチェックポイント阻害剤を投与することと、患者をハイパーサーミア治療に供することと、患者に低用量化学療法を適用することと、タウロリジン、タウルルタム、オキサチアジン様化合物、及びこれらの組み合わせからなる群から選択される化合物とＩＬ−２とを同時投与することとを含む、項目１〜１１に記載の方法。
【誤訳訂正５】
【訂正対象書類名】特許請求の範囲
【訂正対象項目名】全文
【訂正方法】変更
【訂正の内容】
【特許請求の範囲】
【請求項１】
トリプルネガティブ乳癌（ＴＮＢＣ）に罹患している患者を治療するための薬剤を製造するための、タウロリジン、タウルルタム、１以上のオキサチアジン様化合物、又はこれらの組み合わせの使用。
【請求項２】
トリプルネガティブ乳癌（ＴＮＢＣ）に罹患している患者を治療するための薬剤を製造するための、タウロリジン、タウルルタム、１以上のオキサチアジン様化合物、及びこれらの組み合わせからなる群から選択される化合物の使用であって、
前記薬剤は、インターロイキン−２（ＩＬ−２）、１以上のチェックポイント阻害剤、ハイパーサーミア及び低用量化学療法から選択される複数の併用療法を行う治療と組み合わせて患者を治療するためのものである、使用。
【請求項３】
前記薬剤が、静脈内、経口、又はこれらの組み合わせで投与される、請求項１又は２に記載の使用。
【請求項４】
前記薬剤が、前記オキサチアジン様化合物として、Ｃ−２２５０：
【化１】
2019508476.tif 000001
を含む、請求項１〜３のいずれか一項に記載の使用。
【請求項５】
前記Ｃ−２２５０の経口投与剤形が、経口で摂取された場合、２μｇ／ｍＬ以上、好ましくは５μｇ／ｍＬ以上、より好ましくは１５μｇ／ｍＬ以上の血中濃度Ｃｍａｘを達成するカプセル剤である、請求項４に記載の使用。
【請求項６】
インターロイキン−２（ＩＬ−２）、１以上のチェックポイント阻害剤、ハイパーサーミア、及び低用量化学療法の少なくとも２つが、同時又は前後に行われる、請求項２に記載の使用。
【請求項７】
インターロイキン−２（ＩＬ−２）、１以上のチェックポイント阻害剤、ハイパーサーミア、及び低用量化学療法の全てで前記患者を治療することを含む、請求項２に記載の使用。
【請求項８】
１以上のチェックポイント阻害剤を投与することと、ハイパーサーミアと、低用量化学療法と、前記薬剤とＩＬ−２とを同時投与することとが順次に行われる、請求項２に記載の使用。
【請求項９】
ＩＬ−２が、２５００００００Ｉ．Ｕ．／ｍ２〜６０００００００Ｉ．Ｕ．／ｍ２の用量で投与される、請求項２に記載の使用。
【請求項１０】
ＩＬ−２が、以下の化合物：
【化２】
2019508476.tif 000002
、タウロリジン及びタウルルタムの１以上と同時投与され、好ましくは化合物Ｃ−２２５０が投与される、請求項２に記載の使用。
【請求項１１】
前記患者に１以上のチェックポイント阻害剤、好ましくは２種類又は３種類のチェックポイント阻害剤が投与される、請求項２〜１０のいずれか一項に記載の使用。
【請求項１２】
前記１以上のチェックポイント阻害剤が、ヒトプログラム死受容体−１（ＰＤ−１）阻止抗体及び／又はヒト細胞傷害性Ｔリンパ球抗原４（ＣＴＬＡ−４）阻止抗体ではない、請求項１１に記載の使用。
【請求項１３】
前記患者に、シクロホスファミド、ゲムシタビン、５−フルオロウラシル、パクリタキセル、シスプラチン、及びカルボプラチンが投与される、請求項１〜１２のいずれか一項に記載の使用。
【請求項１４】
前記薬剤が、１以上のホルモン療法剤と併用され、好ましくは、前記ホルモン療法剤がアナストロゾール、レトロゾール、及び／又はタモキシフェンである、請求項１〜１３のいずれか一項に記載の使用。
【請求項１５】
前記薬剤が、ＩＬ−２、シクロホスファミド、ゲムシタビン、５−フルオロウラシル、パクリタキセル、シスプラチン、及びカルボプラチンの１以上と併用される、請求項１〜１４のいずれか一項に記載の使用。
【請求項１６】
前記薬剤が１以上のサイクリン依存性キナーゼ（ＣＤＫ）阻害剤と併用され、好ましくは、前記ＣＤＫ阻害剤がパルボシクリブ、リボシクリブ、アベマシクリブ、ディナシクリブ、又はこれらの組み合わせ等のＣＤＫ４／６阻害剤である、請求項１〜１５のいずれか一項に記載の使用。
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
局所麻酔組成物であって、
Ａ．約１０重量％〜約２０重量％の量のベンゾカイン、医薬として許容されるその塩、そのアミドおよび／またはそのエステル；
Ｂ．約１重量％〜約５重量％の量のテトラカインおよび／または医薬として許容されるその塩；
Ｃ．約５重量％〜約２０重量％の量のエタノール；
Ｄ．約２０〜約３５重量％の量のポリエチレングリコールおよび／またはポリプロピレングリコール；
Ｅ．約１０重量％〜約３０重量％の量のプロピレングリコール；
Ｆ．約５重量％〜約３０重量％の量の水；ならびに
Ｇ．約１重量％〜約１０重量％の量のベンジルアルコール
を含み、Ａ〜Ｇの量は組成物中のＡ〜Ｇの総量に基づき、
ここで、前記局所麻酔組成物は、ＴＡインスツルメントアドバンストレオメーターＡＲ１０００ストレスコントロールレオメーターを用いて測定した場合に約２５センチポアズの最大粘度を有し、前記粘度測定は、０．０１〜５０Ｐａの増加したせん断応力に対して、１０００μｍのギャップおよび２５℃の設定温度で、６０ｍｍのアクリルプレート形状を用いて行われた上記組成物。
【請求項２】
ベンゾカイン、医薬として許容されるその塩、そのアミドおよび／またはそのエステルの量が約１４重量％である、請求項１に記載の局所麻酔組成物。
【請求項３】
テトラカインおよび／または医薬として許容されるその塩の量が約２重量％である、請求項１に記載の局所麻酔組成物。
【請求項４】
エタノールの量が約１０重量％〜約１５重量％である、請求項１に記載の局所麻酔組成物。
【請求項５】
エタノールの量が約１０重量％〜約１２重量％である、請求項１に記載の局所麻酔組成物。
【請求項６】
ポリエチレングリコールおよび／またはポリプロピレングリコールの量が約２５重量％〜約３０重量％である、請求項１に記載の局所麻酔組成物。
【請求項７】
ポリエチレングリコールおよび／またはポリプロピレングリコールの量が約２９重量％〜約３０重量％である、請求項１に記載の局所麻酔組成物。
【請求項８】
プロピレングリコールの量が約１０重量％〜約２５重量％である、請求項１に記載の局所麻酔組成物。
【請求項９】
プロピレングリコールの量が約１３重量％〜約２２．５重量％である、請求項１に記載の局所麻酔組成物。
【請求項１０】
水の量が約１０重量％〜約２５重量％である、請求項１に記載の局所麻酔組成物。
【請求項１１】
水の量が約１５重量％〜約２３．５重量％である、請求項１に記載の局所麻酔組成物。
【請求項１２】
ベンジルアルコールの量が約５重量％である、請求項１に記載の局所麻酔組成物。
【請求項１３】
局所麻酔組成物であって、
Ａ．約１４重量％の量のベンゾカイン、医薬として許容されるその塩、そのアミドおよび／またはそのエステル；
Ｂ．約２重量％の量のテトラカインおよび／または医薬として許容されるその塩；
Ｃ．約１０重量％〜約１２重量％の量のエタノール；
Ｄ．約２９〜約３０重量％の量のポリエチレングリコールおよび／またはポリプロピレングリコール；
Ｅ．約１３重量％〜約２２．５重量％の量のプロピレングリコール；
Ｆ．約１５重量％〜約２３．５重量％の量の水；ならびに
Ｇ．約５重量％の量のベンジルアルコール
を含み、Ａ〜Ｇの量は組成物中のＡ〜Ｇの総量に基づき、
ここで、前記局所麻酔組成物は、ＴＡインスツルメントアドバンストレオメーターＡＲ１０００ストレスコントロールレオメーターを用いて測定した場合に約２５センチポアズの最大粘度を有し、前記粘度測定は、０．０１〜５０Ｐａの増加したせん断応力に対して、１０００μｍのギャップおよび２５℃の設定温度で、６０ｍｍのアクリルプレート形状を用いて行われた上記組成物。
【請求項１４】
ポリエチレングリコールおよび／またはポリプロピレングリコールが、少なくとも約１００の重量平均分子量（Ｍｗ）を有する、請求項１に記載の局所麻酔組成物。
【請求項１５】
ポリエチレングリコールおよび／またはポリプロピレングリコールが、約１００〜約７００の重量平均分子量（Ｍｗ）を有する、請求項１〜８及び１３のいずれか１項に記載の局所麻酔組成物。
【請求項１６】
ポリエチレングリコールおよび／またはポリプロピレングリコールが、約３００の重量平均分子量（Ｍｗ）を有する、請求項１に記載の局所麻酔剤組成物。
【請求項１７】
成分Ｄがポリエチレングリコールである、請求項１に記載の局所麻酔組成物。
【請求項１８】
約６．２〜約７．４のｐＨを有する、請求項１に記載の局所麻酔組成物。
【請求項１９】
Ａがベンゾカインであり；Ｂがテトラカイン塩酸塩であり；エタノールの量が１２重量％であり；ＤがＰＥＧ３００であり；プロピレングリコールの量が１７重量％であり；および水の量が約１８重量％である、請求項１に記載の局所麻酔組成物。
【請求項２０】
Ａがベンゾカインであり；Ｂがテトラカイン塩酸塩であり；エタノールの量が１０重量％であり；ＤがＰＥＧ３００であり；プロピレングリコールの量が１９重量％であり；および水の量が約１８重量％である、請求項１に記載の局所麻酔組成物。
【請求項２１】
Ａがベンゾカインであり；Ｂがテトラカイン塩酸塩であり；エタノールの量が１０重量％であり；ＤがＰＥＧ３００であり；プロピレングリコールの量が１７重量％であり；および水の量が約２０重量％である、請求項１に記載の局所麻酔組成物。
【請求項２２】
Ａがベンゾカインであり；Ｂがテトラカイン塩酸塩であり；エタノールの量が１０重量％であり；ＤがＰＥＧ３００であり；プロピレングリコールの量が１４重量％であり；および水の量が約２３重量％である、請求項１に記載の局所麻酔組成物。
【請求項２３】
塩化ベンザルコニウムをさらに含む、請求項１に記載の局所麻酔組成物。
【請求項２４】
ナトリウムサッカライドおよび／またはフレーバー剤（ｆｌａｖｏｒａｎｔ）をさらに含む、請求項１に記載の局所麻酔組成物。
【請求項２５】
局所麻酔剤をポンプ作動式計量投与スプレーデバイスから噴霧することによって所望の部位に、請求項１に記載の局所麻酔組成物を分配する方法。
【請求項２６】
シリンジおよびアプリケータチップを用いて歯肉縁下の所望の部位に、請求項１に記載の局所麻酔組成物を分配する方法。
【請求項２７】
ポンプ作動計量投与スプレーデバイスに含まれる、請求項１に記載の局所麻酔組成物を含む製品。
【請求項２８】
最大粘度が約２０センチポアズである、請求項１に記載の局所麻酔組成物。
【請求項２９】
最大粘度が約１５センチポアズである、請求項１に記載の局所麻酔組成物。
【請求項３０】
０．１重量％未満のジプロピレングリコールを含む、請求項１に記載の局所麻酔組成物。
【請求項３１】
噴射剤を含まないスプレー組成物である、請求項１に記載の局所麻酔組成物。
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
装置によって、ブロック確認応答（ＢＡ）パラメータのインジケーションを受信することと、ここにおいて、前記ＢＡパラメータの前記インジケーションは、最大バッファサイズを備える、
前記装置によって、前記ＢＡパラメータの前記インジケーションに基づいて、ビットマップフィールドのサイズを決定することと、
前記装置によって、前記ビットマップフィールドと、前記ビットマップフィールドの前記決定されたサイズのインジケーションとを備えるブロック確認応答（ＢＡ）フレームを生成することと、
送信するための前記ＢＡフレームを出力することと
を備える方法。
【請求項２】
前記ＢＡパラメータは、ワイヤレスデバイスから受信され、前記ビットマップフィールドの前記サイズを決定することは、少なくとも部分的に、前記装置と前記ワイヤレスデバイスとの間で前記ＢＡパラメータをネゴシエートすることを備える、請求項１に記載の方法。
【請求項３】
ワイヤレスデバイスから複数のパケットを受信することをさらに備え、ここにおいて、前記ビットマップフィールドの前記サイズを決定することは、前記装置によって確認応答されていない前記受信された複数のパケットの最低のシーケンス番号と、正しく受信されたパケットの最大のシーケンス番号とに少なくとも部分的に基づく、請求項１に記載の方法。
【請求項４】
前記ＢＡフレームは、ＢＡ確認応答（ＡＣＫ）ポリシフィールド、マルチプルトラフィック識別子（ＴＩＤ）フィールド、圧縮ビットマップフィールド、グループキャスト再試行（ＧＣＲ）フィールド、またはＢＡ制御フィールドのうちの少なくとも１つをさらに備え、前記決定されたサイズの前記インジケーションは、前記マルチプルＴＩＤフィールド、前記圧縮ビットマップフィールド、前記ＧＣＲフィールド、または前記ＢＡ制御フィールドのうちの少なくとも１つにおける値を備える、請求項１に記載の方法。
【請求項５】
前記ＢＡフレームは、トラフィック識別子（ＴＩＤ）毎フィールドをさらに備え、前記ビットマップフィールドの前記決定されたサイズの前記インジケーションは、前記ＴＩＤ毎フィールドにおける値を備える、請求項１に記載の方法。
【請求項６】
前記ＢＡフレームは、持続時間／識別子（ＩＤ）フィールドをさらに備え、前記ビットマップフィールドの前記決定されたサイズの前記インジケーションは、前記持続時間／ＩＤフィールドにおける値である、請求項１に記載の方法。
【請求項７】
前記ＢＡフレームは、２つ以上のブロック確認応答（ＢＡ）情報フィールドをさらに備え、前記２つ以上のＢＡ情報フィールドは、ＢＡビットマップサブフィールド（BA bitmap subfield）をそれぞれ含み、前記ビットマップフィールドの前記サイズを決定することは、前記２つ以上のＢＡ情報フィールドの各々における前記ＢＡビットマップサブフィールドを合計することを備える、請求項１に記載の方法。
【請求項８】
ワイヤレス通信のための装置であって、
装置によって、ブロック確認応答（ＢＡ）パラメータのインジケーションを受信するための手段と、ここにおいて、前記ＢＡパラメータの前記インジケーションは、最大バッファサイズを備える、
前記装置によって、前記ＢＡパラメータの前記インジケーションに基づいて、ビットマップフィールドのサイズを決定するための手段と、
前記装置によって、前記ビットマップフィールドと、前記ビットマップフィールドの前記決定されたサイズのインジケーションとを備えるブロック確認応答（ＢＡ）フレームを生成するための手段と、
送信するための前記ＢＡフレームを出力するための手段と
を備える装置。
【請求項９】
前記ＢＡパラメータは、ワイヤレスデバイスから受信され、前記ビットマップフィールドの前記サイズを決定するための前記手段は、少なくとも部分的に、前記ワイヤレスデバイスと前記ＢＡパラメータをネゴシエートすることを備える、請求項８に記載の装置。
【請求項１０】
ワイヤレスデバイスから複数のパケットを受信するための手段をさらに備え、ここにおいて、前記ビットマップフィールドの前記サイズを決定するための前記手段は、前記装置によって確認応答されていない前記受信された複数のパケットの最低のシーケンス番号と、正しく受信されたパケットの最大のシーケンス番号とに少なくとも部分的に基づく、請求項８に記載の装置。
【請求項１１】
前記ＢＡフレームは、ＢＡ確認応答（ＡＣＫ）ポリシフィールド、マルチプルトラフィック識別子（ＴＩＤ）フィールド、圧縮ビットマップフィールド、グループキャスト再試行（ＧＣＲ）フィールド、またはＢＡ制御フィールドのうちの少なくとも１つをさらに備え、前記決定されたサイズの前記インジケーションは、前記マルチプルＴＩＤフィールド、前記圧縮ビットマップフィールド、前記ＧＣＲフィールド、または前記ＢＡ制御フィールドのうちの少なくとも１つにおける値を備える、請求項８に記載の装置。
【請求項１２】
前記ＢＡフレームは、トラフィック識別子（ＴＩＤ）毎フィールドをさらに備え、前記ビットマップフィールドの前記決定されたサイズの前記インジケーションは、前記ＴＩＤ毎フィールドにおける値を備える、請求項８に記載の装置。
【請求項１３】
前記ＢＡフレームは、持続時間／識別子（ＩＤ）フィールドをさらに備え、前記ビットマップフィールドの前記決定されたサイズの前記インジケーションは、前記持続時間／ＩＤフィールドにおける値である、請求項８に記載の装置。
【請求項１４】
前記ＢＡフレームは、２つ以上のブロック確認応答（ＢＡ）情報フィールドをさらに備え、前記２つ以上のＢＡ情報フィールドは、ＢＡビットマップサブフィールドをそれぞれ含み、前記ビットマップフィールドの前記サイズを決定することは、前記２つ以上のＢＡ情報フィールドの各々における前記ＢＡビットマップサブフィールドを合計することを備える、請求項８に記載の装置。
【請求項１５】
少なくとも１つのコンピュータに、請求項１乃至７のうちのいずれかに記載のステップを実行させる命令を備えるコンピュータプログラム。
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
ＣＤ３３を欠くように遺伝子工学処理されたヒト造血細胞であって、キメラ抗原受容体を含まない、遺伝子工学処理されたヒト造血細胞。
【請求項２】
造血幹細胞である、請求項１に記載の遺伝子工学処理されたヒト造血細胞。
【請求項３】
ＣＤ３３をコードする内因性遺伝子のすべて又は一部が削除される、請求項１又は２に記載の遺伝子工学処理されたヒト造血細胞。
【請求項４】
自然発生の造血細胞相対物におけるＣＤ３３発現量に比べて低いＣＤ３３発現量を有する、請求項１〜３のいずれか一項に記載の遺伝子工学処理されたヒト造血細胞。
【請求項５】
自然発生の造血細胞相対物におけるＣＤ３３発現量の１０％未満のＣＤ３３発現量を有する、請求項１〜４のいずれか一項に記載の遺伝子工学処理されたヒト造血細胞。
【請求項６】
前記ＣＤ３３が、ＣＲＩＳＰＲ系を用いて処理される、請求項１〜５のいずれか一項に記載の遺伝子工学処理されたヒト造血細胞。
【請求項７】
前記ＣＲＩＳＰＲ系により、前記ＣＤ３３をコードする内因性遺伝子のコード又は非コード領域において前記内因性遺伝子が切断されている、請求項６に記載の遺伝子工学処理されたヒト造血細胞。
【請求項８】
前記ＣＲＩＳＰＲ系により、前記ＣＤ３３をコードする内因性遺伝子のコード又は非コード領域において１つ以上のヌクレオチドの挿入、欠失、及び／又は置換が生じる、請求項６に記載の遺伝子工学処理されたヒト造血細胞。
【請求項９】
請求項１に記載のヒト造血細胞を含む、遺伝子工学処理されたヒト造血細胞集団。
【請求項１０】
骨髄系前駆細胞、リンパ系前駆細胞、骨髄細胞、リンパ系細胞、及びそれらの任意の組み合わせよりなる群から選択されるヒト造血細胞をさらに含む、請求項９に記載の遺伝子工学処理されたヒト造血細胞集団。
【請求項１１】
請求項９に記載の遺伝子工学処理されたヒト造血細胞集団を調製する方法であって、ＣＤ３３をコードする内因性遺伝子のコード又は非コード領域とハイブリダイズする少なくとも１つのガイド核酸を含むＣＲＩＳＰＲ系をヒト造血細胞に導入することを含み、前記ＣＲＩＳＰＲ系により前記内因性遺伝子が切断される、該方法。
【請求項１２】
治療に用いるための、請求項９に記載の遺伝子工学処理されたヒト造血細胞集団。
【請求項１３】
造血器悪性腫瘍を治療又は予防する方法に用いるための、請求項９に記載の遺伝子工学処理されたヒト造血細胞集団。
【請求項１４】
有効量のＣＤ３３を標的とする作用物質と組み合わせて用いるための、請求項１３に記載の遺伝子工学処理されたヒト造血細胞集団。
【請求項１５】
前記作用物質が、モノクローナル抗体、完全なヒト抗体、ヒト化抗体、キメラ抗体、単鎖抗体、二重特異的抗体、又はＦ（ａｂ’）２フラグメントから選択される抗体又は抗体断片である、請求項１４に記載の遺伝子工学処理されたヒト造血細胞集団。
【請求項１６】
前記作用物質が、抗原結合フラグメントを含むキメラ受容体を発現する免疫細胞である、請求項１５に記載の遺伝子工学処理されたヒト造血細胞集団。
【請求項１７】
前記キメラ受容体を発現する免疫細胞が、Ｔ細胞である、請求項１６に記載の遺伝子工学処理されたヒト造血細胞集団。
【請求項１８】
前記造血器悪性腫瘍が、ホジキンリンパ腫、非ホジキンリンパ腫、白血病、急性骨髄性白血病、慢性骨髄性白血病、急性リンパ芽球性白血病、慢性リンパ芽球性白血病、又は多発性骨髄腫から選択される、請求項１３〜１７のいずれか一項に記載の遺伝子工学処理されたヒト造血細胞集団。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
ＳＤＡと、アルミニウムＡｌ種を含む修飾されたコロイド状シリカゾルとを含む組成物であって、前記修飾されたコロイド状シリカゾルが四面体および八面体のＡｌ種を含有する、組成物。
【請求項２】
請求項１に記載の組成物であって、前記ＳＤＡがアダマンチルアンモニウムヒドロキシドである、組成物。
【請求項３】
請求項１に記載の組成物であって、前記ＳＤＡがアンモニウム塩の臭化物、塩化物、または水酸化物であり、そのアンモニウム基がテトラメチルアンモニウム、テトラプロピルアンモニウム、テトラエチルアンモニウム、テトラブチルアンモニウム、テトラヘキシルアンモニウム、テトラオクチルアンモニウム、トリブチルメチルアンモニウム、トリエチルメチルアンモニウム、トリメチルフェニルアンモニウム、メチルトリプロピルアンモニウム、ドデシルトリメチルアンモニウム、ヘキサデシルトリメチルアンモニウム、ジメチルドデシルエチルアンモニウム、ジエチルジメチルアンモニウム、またはこれらの組み合わせから選択される、組成物。
【請求項４】
請求項１に記載の組成物であって、前記修飾されたコロイド状シリカゾルが、四面体および八面体のＡｌ種を１：１のモル比で含有する、組成物。
【請求項５】
請求項１に記載の組成物であって、前記四面体および八面体のＡｌ種に関して測定された信号の比が１：１であるアルミニウムのＮＭＲスペクトルを有する、組成物。
【請求項６】
ＳＤＡと、Ａｌ種を含む修飾されたコロイド状シリカゾルとを含む組成物であって、前記Ａｌ種の少なくとも９０％が四面体構造または八面体構造の種の形態であり、前記四面体構造の種の前記八面体構造の種に対する比が１：１であり、前記ＳＤＡがアンモニウム塩の臭化物、塩化物、または水酸化物であり、そのアンモニウム基がテトラメチルアンモニウム、テトラプロピルアンモニウム、テトラエチルアンモニウム、テトラブチルアンモニウム、テトラヘキシルアンモニウム、テトラオクチルアンモニウム、トリブチルメチルアンモニウム、トリエチルメチルアンモニウム、トリメチルフェニルアンモニウム、メチルトリプロピルアンモニウム、ドデシルトリメチルアンモニウム、ヘキサデシルトリメチルアンモニウム、ジメチルドデシルエチルアンモニウム、ジエチルジメチルアンモニウム、またはこれらの組み合わせから選択される、組成物。
【請求項７】
請求項６に記載の組成物であって、前記四面体および八面体のＡｌ種に関して測定された信号の比が１：１であるアルミニウムのＮＭＲスペクトルを有する、組成物。
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
医薬としての使用のための、プロテインキナーゼCK2（CK2）を阻害する第1の薬剤と、毛細血管拡張性運動失調症変異（ATM）キナーゼを阻害する第2の薬剤との組み合わせ。
【請求項２】
前記第1の薬剤が、CK2のキナーゼ活性を阻害する化学分子、CK2αおよび / またはα'をコードしている遺伝子を標的とするsiRNA、およびCK2αおよび / またはα'をコードしている遺伝子を標的とするshRNAからなる群から選択され、前記第2の薬剤が、ATMキナーゼのキナーゼ活性を阻害する化学分子、ATMキナーゼをコードしている遺伝子を標的とするsiRNA、およびATMキナーゼをコードしている遺伝子を標的とするshRNAからなる群から選択される、請求項１の使用のための、請求項1に記載の組み合わせ。
【請求項３】
前記第1の薬剤が、5‐（3‐クロロフェニルアミノ）ベンゾ[c] [2,6]ナフチリジン‐8‐カルボン酸、5,11‐ジメチル‐6H‐ピリド[4,3‐b]カルバゾール、7‐クロロ‐10‐メチル‐11h‐ベンゾ[g]ピリド[4,3‐B]インドール‐3‐オール、2‐ジメチルアミノ‐4,5,6,7‐テトラブロモ‐1H‐ベンゾイミダゾール、および4,5,6,7‐テトラブロモベンゾトリアゾール、およびそれらの誘導体からなる群から選択される、請求項１の使用のための、請求項1または2に記載の組み合わせ。
【請求項４】
前記第2の薬剤が、2‐（（2S,6R）‐2,6‐ジメチルモルホリノ）‐N‐（5‐（6‐モルホリノ‐4‐オキソ‐4H‐ピラン‐2‐イル）‐9H‐チオキサンテン‐2‐イル）アセトアミド、2‐モルホリン‐4‐イル‐6‐チアントレン‐1‐イル‐ピラン‐4‐オンおよびそれらの誘導体からなる群から選択される、請求項1の使用のための、請求項1〜3のいずれかに記載の組み合わせ。
【請求項５】
前記第1の薬剤が、5‐（3‐クロロフェニルアミノ）ベンゾ[c] [2,6]ナフチリジン‐8‐カルボン酸、および5,11‐ジメチル‐6H‐ピリド[4,3‐b]カルバゾールからなる群から選択され、前記第2の薬剤が2‐（（2S,6R）‐2,6‐ジメチルモルホリノ）‐N‐（5‐（6‐モルホリノ‐4‐オキソ‐4H‐ピラン‐2‐イル）‐9H‐チオキサンテン‐2‐イル）アセトアミドである、請求項1の使用のための、請求項1〜4のいずれかに記載の組み合わせ。
【請求項６】
前記第1の薬剤が5‐（3‐クロロフェニルアミノ）ベンゾ[c] [2,6]ナフチリジン‐8‐カルボン酸であり、前記第2の薬剤が2‐（（2S、6R）‐2,6‐ジメチルモルホリノ）‐N‐（5‐（6‐モルホリノ‐4‐オキソ‐4H‐ピラン‐2‐イル）‐9H‐チオキサンテン‐2‐イル）アセトアミドである、請求項1の使用のための、請求項1〜5のいずれかに記載の組み合わせ。
【請求項７】
前記第1および第2の薬剤が組成物またはキット中に含まれる、請求項1の使用のための、請求項1〜6のいずれかに記載の組み合わせ。
【請求項８】
VHLが不活化している固形腫瘍を治療する医薬として使用するための、請求項1〜7のいずれかに記載の組み合わせ。
【請求項９】
淡明型腎細胞癌（ccRCC）を治療する医薬として使用するための、請求項1〜7のいずれかに記載の組み合わせ。
【請求項１０】
前記RCCが転移性腎細胞癌（mRCC）である、請求項9の使用のための、請求項1〜7のいずれかに記載の組み合わせ。
【請求項１１】
VHLが不活化している癌の治療におけるCK2阻害剤の効果を高めるための、ATMキナーゼ阻害剤を含む医薬組成物。
【請求項１２】
前記ATMキナーゼ阻害剤が、2‐（（2S,6R）‐2,6‐ジメチルモルホリノ）‐N‐（5‐（6‐モルホリノ‐4‐オキソ‐4H‐ピラン‐2‐イル）‐9H‐チオキサンテン‐2‐イル）アセトアミド、2‐モルホリン‐4‐イル‐6‐チアントレン‐1‐イル‐ピラン‐4‐オン、およびそれらの誘導体からなる群から選択される、請求項11に記載の医薬組成物。
【請求項１３】
5‐（3‐クロロフェニルアミノ）ベンゾ[c] [2,6] ナフチリジン‐8‐カルボン酸、5,11‐ジメチル‐6H‐ピリド[4,3‐b]カルバゾール、7‐クロロ‐10‐メチル‐11h‐ベンゾ[g]ピリド[4,3‐B]インドール‐3‐オール、2‐ジメチルアミノ‐4,5,6,7‐テトラブロモ‐1H‐ベンゾイミダゾールおよび4,5,6,7‐テトラブロモベンゾトリアゾールおよびそれらの誘導体からなる群から選ばれるCK2阻害剤の効果を高めるための、請求項11または請求項12に記載の医薬組成物。
【請求項１４】
RCC、ccRCC及びmRCCの中から選択される癌の治療におけるCK2阻害剤の効果を高めるための、請求項11〜13のいずれかに記載の医薬組成物。
【請求項１５】
VHLが不活化している癌の治療におけるATMキナーゼ阻害剤の効果を高めるための、CK2阻害剤を含む医薬組成物。
【請求項１６】
前記CK2阻害剤が、5‐（3‐クロロフェニルアミノ）ベンゾ[c] [2,6]ナフチリジン‐8‐カルボン酸、5,11‐ジメチル‐6H‐ピリド[4,3‐b]カルバゾール、7‐クロロ‐10‐メチル‐11h‐ベンゾ[g]ピリド[4,3‐B]インドール‐3‐オール、2‐ジメチルアミノ‐4,5,6,7‐テトラブロモ‐1H‐ベンゾイミダゾールおよび4,5,6,7‐テトラブロモベンゾトリアゾール、およびそれらの誘導体からなる群から選択される、請求項15に記載の医薬組成物。
【請求項１７】
前記CK2阻害剤で予め治療された個体へ投与される、請求項11〜14のいずれかに記載の医薬組成物。
【請求項１８】
前記ATMキナーゼ阻害剤で予め治療された個体へ投与される、請求項15または請求項16に記載の医薬組成物。
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
少なくとも１．５×１０７細胞／ｍＬの濃度でプロテインフリークリオ保護剤中に実質的に均質かつ免疫抑制性の成人脂肪組織由来幹細胞（ＡＳＣ）集団の懸濁液を含む、組成物。
【請求項２】
ＡＳＣ集団の少なくとも約８０％がＣＤ９０、ＣＤ７３、ＣＤ１３、ＣＤ１０５、ＣＤ２９、ＣＤ１６６、ＣＤ１０、ＣＤ１４０ｂ、ＣＤ１６０、ＣＤ２０４、ＣＤ２７２、ＣＤ４４、ＣＤ４９ａ、ＣＤ５４、ＣＤ９、ガレクチン３、ガレクチン９、ＨＬＡ−ＧおよびＬＴβＲを発現し、ＡＳＣ集団の多くて約１５％がＣＤ４５、ＣＤ１９、ＣＤ１４、ＣＤ１０６、ＣＤ３１およびＣＤ３６を発現する、請求項１に記載の組成物。
【請求項３】
ＡＳＣ集団において、
少なくとも９０％がＣＤ９０、ＣＤ７３、ＣＤ１３、ＣＤ２９およびＣＤ１６６を発現し、多くて５％がＣＤ４５、ＣＤ１９、ＣＤ１４およびＣＤ３１を発現し、多くて１０％がＣＤ１０６を発現し、２〜１５％がＣＤ３６を発現し、少なくとも１０％がＣＤ１４６を発現し、少なくとも８０％がＣＤ１０５を発現し、多くて４０％がＣＤ３４を発現する；および／または
少なくとも９０％がＣＤ１０、ＣＤ１４０ｂ、ＣＤ１６０、ＣＤ２０４、ＣＤ２７２、ＣＤ４４、ＣＤ５４、ＣＤ９、ガレクチン３、ガレクチン９、ＨＬＡ−ＧおよびＬＴβＲを発現し、少なくとも８０％がＣＤ４９ａを発現し、少なくとも６０％がＣＤ２５８およびＣＤ２７０を発現し、少なくとも５％がＣＤ２００を発現し、多くて１５％がＣＤ１５、ＣＤ１５２、ＣＤ１６３、ＣＤ１８、ＣＤ２７４、ＣＤ３９、ＣＤ４０、ＣＤ６２Ｌ、ＣＤ８０およびＣＤ８６を発現し、多くて３０％がＣＸＣＲ４を発現する、請求項１または２に記載の組成物。
【請求項４】
５０ｎｇ／ｍｌ  インターフェロン−ガンマ存在下で３日培養を含むインターフェロン−ガンマ刺激により、ＣＤ２７４を発現するＡＳＣ集団のパーセンテージが少なくとも８０％に増加し、ＣＤ５４陽性細胞におけるＣＤ５４の発現レベルがインターフェロン−ガンマの非存在下で３日培養された対照ＡＳＣ集団と比較して少なくとも２５倍増加する、請求項１〜３の何れかに記載の組成物。
【請求項５】
解凍直後、幹細胞集団の少なくとも８０％が生存可能細胞であり、幹細胞集団が４８時間培養したとき少なくとも１の集団倍加を有する、請求項１〜４の何れかに記載の組成物。
【請求項６】
クリオ保護剤がＴｒｏｌｏｘ（６−ヒドロキシ−２，５，７，８−テトラメチルクロマン−２−カルボン酸）、Ｎａ＋、Ｋ＋、Ｃａ２＋、Ｍｇ２＋１Ｃｌ−、Ｈ２ＰＯ４−、ＨＥＰＥＳ、ラクトビオン酸、スクロース、マンニトール、グルコース、デキストラン−４０、アデノシンおよびグルタチオンおよび約５％〜約１５％ＤＭＳＯを含む、請求項１〜５の何れかに記載の組成物。
【請求項７】
ＡＳＣ濃度が２×１０７細胞〜５×１０７細胞／ｍＬである、請求項１〜６の何れかに記載の組成物。
【請求項８】
医薬組成物である、請求項１〜７の何れかに記載の組成物。
【請求項９】
凍結される、請求項１〜８の何れかに記載の組成物。
【請求項１０】
凍結条件下に保存される複数のバイアルを含み、各バイアルが請求項９に記載の組成物を含む、細胞バンク。
【請求項１１】
各バイアルが約５ｍＬの組成物を含み、ここで、細胞濃度が約２．０×１０７〜約２．５×１０７細胞／ｍＬ範囲である、請求項１０に記載の細胞バンク。
【請求項１２】
（ｉ）ドナーから採取した吸引脂肪組織の間質血管細胞群（ＳＶＦ）を、少なくとも一表面が成人幹細胞の接着が促進されるように前処理されているバイオリアクターに添加し；
（ｉｉ）バイオリアクターにおいて、接着細胞をヒト血小板ライセートを添加した無血清培養培地においてコンフルエントまで培養し；
（ｉｉｉ）接着細胞を剥離し；
（ｉｖ）剥離した細胞を、プロテインフリークリオ保護剤中少なくとも１×１０６細胞／ｍＬの濃度で凍結させ；
（ｖ）凍結細胞を解凍し、工程（ｉｉ）および（ｉｉｉ）および所望により（ｉｖ）を少なくとも１回繰り返し、
（ｖｉ）剥離した細胞を少なくとも１．５×１０７細胞／ｍＬの濃度で凍結させ；そして
（ｖｉｉ）所望により、凍結組成物を解凍する
工程を含む、実質的に均質な成人幹細胞集団を含む医薬組成物を製造する方法。
【請求項１３】
ａ）バイオリアクターの少なくとも一表面を、クリオ沈降物を含むまたはそれからなる組成物で前処理し；
ｂ）培養培地が約２％〜約１５％ヒト血小板ライセートを含み；
ｃ）クリオ保護剤が約５％〜約１５％ＤＭＳＯおよびＴｒｏｌｏｘ（６−ヒドロキシ−２，５，７，８−テトラメチルクロマン−２−カルボン酸）、Ｎａ＋、Ｋ＋、Ｃａ２＋、Ｍｇ２＋１Ｃｌ−、Ｈ２ＰＯ４−、ＨＥＰＥＳ、ラクトビオン酸、スクロース、マンニトール、グルコース、デキストラン−４０、アデノシンおよびグルタチオンを含み；
ｄ）工程（ｖ）において、凍結細胞を解凍し、工程（ｉｉ）および（ｉｉｉ）の繰り返しを１回実施するか；または
ｅ）（ａ）〜（ｄ）の任意の２以上の組み合わせである、
請求項１２に記載の方法。
【請求項１４】
請求項１２または１３に記載の方法により得たまたは得られる、少なくとも１．５ｘ１０７細胞／ｍＬの濃度でプロテインフリークリオ保護剤中に実質的に均質な成人幹細胞集団の懸濁液を含む、医薬組成物。
【請求項１５】
医薬として使用するための、請求項１〜９および１４の何れかに記載の組成物。
【請求項１６】
組織再生、免疫抑制におよび／または抗炎症剤として使用するための、請求項１〜９および１４の何れかに記載の組成物。
【請求項１７】
対象における虚血性組織障害、組織機能不全または破壊障害、自己免疫性障害、移植片拒絶および炎症性疾患または障害から選択される疾患または障害の処置または予防に使用するための、請求項１〜９および１４の何れかに記載の組成物。
【請求項１８】
疾患または障害が虚血性心疾患、急性心筋梗塞、虚血性脳卒中、重症虚血肢、虚血性創傷、虚血再灌流障害／原発臓器移植機能不全、椎間板修復、非虚血性拡張型心筋症、関節軟骨障害、クローン病、多発性硬化症、Ｉ型糖尿病、腎疾患、リウマチ性関節炎、移植臓器の拒絶、ＩＩ型糖尿病、肺動脈性高血圧および敗血症からなる群から選択される、請求項１７に記載の使用するための組成物。
【請求項１９】
疾患または障害が虚血性心疾患であり、多くて約５ｍＬ中約５×１０７〜約５×１０８細胞が心筋内注射により対象に投与される、請求項１８に記載の使用するための組成物。
【請求項２０】
対象が脂肪組織のドナーではない、請求項１７〜１９の何れかに記載の使用するための組成物。
【請求項２１】
患者への投与を少なくとも１回繰り返すことを含み、所望により脂肪組織が異なるドナーからである、請求項２０に記載の使用するための組成物。
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
ヌクレオチドまたはヌクレオシドアナログ逆転写酵素阻害剤を組み込んだ生分解性シリカハイドロゲルコンポジットを含むデポー製剤であって、該シリカハイドロゲルコンポジットが、
ａ）ヌクレオチドまたはヌクレオシドアナログ逆転写酵素阻害剤を含み、≦１０００μｍの最大直径を有する該シリカ粒子を、そのまま、または懸濁液として、
ｂ）シリカゾル
と混合することにより得られ、
ｉ）前記シリカゾルの固形分が５ｗｔ％以下であり、
ii）前記シリカハイドロゲルコンポジットが８５ｗｔ％以下の前記シリカ粒子を含み、そして
iii）前記ハイドロゲルコンポジットが、静置保管時には非流動性でかつ構造的に安定であり、注入によりずり応力が適用される場合にはずり流動化性である
デポー製剤。
【請求項２】
シリカハイドロゲルコンポジットが、注入によりずり応力が適用された後３７℃で非流動性で構造的に安定なハイドロゲルである請求項１記載のデポー製剤。
【請求項３】
シリカゾルが、３ｗｔ％以下、好ましくは２ｗｔ％以下、最も好ましくは１ｗｔ％以下の固形分を有することを特徴とする請求項１または２記載のデポー製剤。
【請求項４】
シリカ粒子が、０．１〜７０ｗｔ％、好ましくは０．３〜５０ｗｔ％、最も好ましくは１〜１５ｗｔ％の組み込まれたヌクレオチドまたはヌクレオシドアナログ逆転写酵素阻害剤を含むことを特徴とする請求項１〜３のいずれか１項に記載のデポー製剤。
【請求項５】
シリカ粒子が、０．５μｍ〜３００μｍ、好ましくは０．５μｍ〜１００μｍ、より好ましくは０．５μｍ〜３０μｍ、最も好ましくは０．５μｍ〜２０μｍの直径を有するマイクロ粒子であることを特徴とする請求項１〜４のいずれか１項に記載のデポー製剤。
【請求項６】
１μｍ未満の直径を有するシリカ粒子の体積分率が３％未満、好ましくは２％未満、最も好ましくは１ｖｏｌ％未満であることを特徴とする請求項５記載のデポー製剤。
【請求項７】
ハイドロゲルコンポジットが、８０ｗｔ％以下、好ましくは１０〜８０ｗｔ％、最も好ましくは２０〜６０ｗｔ％のシリカ粒子を含むことを特徴とする請求項１〜６のいずれか１項に記載のデポー製剤。
【請求項８】
コンポジットの固形分が、１０ｗｔ％〜７５ｗｔ％、好ましくは１５ｗｔ％〜６０ｗｔ％、最も好ましくは２５ｗｔ％〜５５ｗｔ％であることを特徴とする請求項１〜７のいずれか１項に記載のデポー製剤。
【請求項９】
線形粘弾性領域において小角振動ずりのもとで測定される複素弾性率が、２４００ｋＰａ未満、好ましくは１２００ｋＰａ未満、最も好ましくは６００ｋＰａ未満である、および／または
損失係数、すなわち粘性率／弾性率が１未満、好ましくは０．８未満、最も好ましくは０．６未満である、および／または
粘度が、１０〜５０ｓ-1のずり速度で測定されて１０〜５０Ｐａｓであり、２００〜２１０ｓ-1のずり速度で測定されて０．４〜１．５Ｐａｓであり、６００〜６１０ｓ-1のずり速度で測定されて０．１〜０．４Ｐａｓである
ことを特徴とする請求項１〜８のいずれか１項に記載のデポー製剤。
【請求項１０】
シリカ粒子が、噴霧乾燥、シングルエマルジョン、ダブルエマルジョン、重合、コアセルベーション相分離および溶媒抽出法から選択される方法、好ましくは噴霧乾燥、最も好ましくはサイクロン分離器による連続粒子分離を備える噴霧乾燥で得られることを特徴とする請求項１〜９のいずれか１項に記載のデポー製剤。
【請求項１１】
シリカ粒子に含まれるヌクレオチドまたはヌクレオシドアナログ逆転写酵素阻害剤が、ヌクレオチドまたはヌクレオシドアナログ逆転写酵素阻害剤とシリカゾルとが連続的に分離したフローとして供給され、反応器内で合わせられる管型反応器内で連続プロセスを用いてシリカ粒子内に組み込まれ、その後、該管型反応器の外に、サイクロン分離器による連続的粒子分離を伴う連続的噴霧乾燥プロセス内に供給される請求項１０記載のデポー製剤。
【請求項１２】
ヌクレオチドまたはヌクレオシドアナログ逆転写酵素阻害剤が、
ジデオキシヌクレオシド、および／または
ジドブジン、ジダノシン、ザルシタビン、スタブジン、ラミブジン、アバカルビル、エムトリシタビン、エンテカビル、テノホビル、アデホビル、アプリシタビン、エルブシタビン、アムドキソビルおよびラシビル、好ましくはエンテカビル
からなる群より選択されることを特徴とする請求項１〜１１のいずれか１項に記載のデポー製剤。
【請求項１３】
ヌクレオチドまたはヌクレオシドアナログ逆転写酵素阻害剤が、デオキシグアノシンアナログであり、好ましくはヒドロキシメチル（メチレンシクロフェニル）プリン類およびピリミジン類からなる群より選択されることを特徴とする請求項１〜１２のいずれか１項に記載のデポー製剤。
【請求項１４】
注入可能な製剤および移植可能な製剤、好ましくは注入可能な製剤からなる群より選択されることを特徴とする請求項１〜１３のいずれか１項に記載のデポー製剤。
【請求項１５】
慢性ウイルス感染の治療および慢性ウイルス再感染の予防、好ましくはＢ型肝炎およびＨＩＶ感染からなる群、最も好ましくはＢ型肝炎感染からなる群より選択されるウイルス感染の治療およびウイルス再感染の予防における使用のための請求項１〜１４のいずれか１項に記載のデポー製剤。
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
ローソニア・イントラセルラリス（Ｌａｗｓｏｎｉａ  ｉｎｔｒａｃｅｌｌｕｌａｒｉｓ）による感染から生じる障害に対して、ローソニア・イントラセルラリスに対する母体由来抗体を有する動物をワクチンの皮内投与により防御するための方法における使用のための、不活化ローソニア・イントラセルラリス抗原を含むワクチン。
【請求項２】
１回のワクチン接種の後でワクチンが防御を誘導することを特徴とする、請求項１記載のワクチン。
【請求項３】
抗原が死滅ローソニア・イントラセルラリス（Ｌａｗｓｏｎｉａ  ｉｎｔｒａｃｅｌｌｕｌａｒｉｓ）細菌を含むことを特徴とする、請求項１又は２に記載のワクチン。
【請求項４】
ローソニア・イントラセルラリス（Ｌａｗｓｏｎｉａ  ｉｎｔｒａｃｅｌｌｕｌａｒｉｓ）による感染から生じる障害に対して動物を防御するための、ローソニア・イントラセルラリスに対する母体由来抗体を有する動物への皮内投与のためのワクチンの製造のための、不活化ローソニア・イントラセルラリス抗原の使用。
【請求項５】
ローソニア・イントラセルラリス（Ｌａｗｓｏｎｉａ  ｉｎｔｒａｃｅｌｌｕｌａｒｉｓ）抗原を含むワクチンを皮内投与することにより、ローソニア・イントラセルラリスによる感染から生じる障害に対して、ローソニア・イントラセルラリスに対する母体由来抗体を有する非ヒト動物を防御するための方法。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
性感染症（ＳＴＤ）ワクチンであって、
少なくとも１つのＳＴＤ抗原ポリペプチドをコードするオープンリーディングフレームを有する少なくとも１つのＲＮＡポリヌクレオチドを含み、カチオン性脂質ナノ粒子で製剤化された、前記性感染症（ＳＴＤ）ワクチン。
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
ナノ結晶セルロース（ＮＣＣ）エステルの製造方法であって、
４０−１１０℃の温度で、硫酸の存在下で、酢酸および少なくとも１種のエステル源でＮＣＣを処理するステップを備え、前記少なくとも１種のエステル源が、酸無水物、少なくとも１種のカルボン酸、少なくとも１種のカルボン酸塩および少なくとも１種のハロゲン化アシルのなかから選択され、前記硫酸の量が、ＮＣＣの重量と比較して０．０１％−１％であることを特徴とする方法。
【請求項２】
請求項１に記載の方法において、
前記温度が、５０−１１０℃、５０−１００℃、５０−９０℃、５０−８０℃、５０−７０℃、６０−１１０℃、６０−１００℃、６０−９０℃、６０−８０℃、６０−７０℃、７０−１１０℃、７０−１００℃、７０−９０℃、７０−８０℃、８０−１１０℃、８０−１００℃、または８０−９０℃であることを特徴とする方法。
【請求項３】
請求項１または２に記載の方法において、
前記少なくとも１種のエステル源が酢酸であることを特徴とする方法。
【請求項４】
請求項１に記載の方法において、
４０−１１０℃の温度で、硫酸の存在下でＮＣＣを酢酸および無水酢酸で処理するステップを含むことを特徴とする方法。
【請求項５】
請求項１に記載の方法において、
酢酸とＮＣＣの比が５〜２０：１であり、無水酢酸とＮＣＣの比が０．５〜２：１であることを特徴とする方法。
【請求項６】
ＮＣＣおよびキシログルカンを含む配合物。
【請求項７】
請求項６に記載の配合物において、
少なくとも１０重量％の固形分を含むことを特徴とする配合物。
【請求項８】
請求項６に記載の配合物において、
ＮＣＣとキシログルカンの比が、１：２０、１：１９、１：１８、１：１７、１：１６、１：１５、１：１４、１：１３、１：１２、１：１１、１：１０、１：９、１：８、１：７、１：６、１：５、１：４、１：３、１：２または１：１であることを特徴とする配合物。
【請求項９】
請求項６に記載の配合物において、
ＮＣＣの量が２−９重量％であり、キシログルカンの量が１−８重量％であることを特徴とする配合物。
【請求項１０】
請求項６乃至９の何れか一項に記載の配合物において、
キシログルカンがタマリンドカーネルパウダー（ＴＫＰ）であるか、またはタマリンドカーネルパウダー（ＴＫＰ）由来のものであることを特徴とする配合物。
【請求項１１】
請求項６乃至１０の何れか一項に記載の配合物から形成された固体膜またはコーティング。
【請求項１２】
請求項６乃至１０の何れか一項に記載の配合物から形成された発泡体材料。
【請求項１３】
３またはそれ以上の材料膜からなる多層積層構造体であって、前記３またはそれ以上の材料膜のうちの少なくとも一つが、請求項６乃至１０の何れか一項に記載の配合物から形成された膜または層であることを特徴とする多層積層構造体。
【請求項１４】
請求項６乃至１０の何れか一項に記載の配合物から形成された材料シート。
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
抗体又は抗原結合部分から成る群より選択され、ＳＩＲＰａの細胞外ドメインと結合し、ＳＩＲＰａとＣＤ４７の相互作用を阻害し、腫瘍内の炎症促進性Ｍ１型マクロファージに有利に働くことが可能であり、ＳＩＲＰａ陽性急性骨髄白血病を除く癌の治療に使用するための抗ＳＩＲＰａ化合物。
【請求項２】
前記抗ＳＩＲＰａ化合物は、Ｍ１型マクロファージによるマーカーＣＤ８６及びＣＣＲ７の少なくとも一つの発現を増加させ、また／あるいは、前記Ｍ１型マクロファージによるＩＬ−６、ＴＮＦ−α、ＩＬ１２ｐ４０及びＩＬ１２から成る群より選択される少なくとも一つのサイトカインの分泌を増加させることを特徴とする請求項１に記載の抗ＳＩＲＰａ化合物。
【請求項３】
前記Ｍ１型マクロファージは、ＩＬ−１２ｐ４０と、ＣＤ８６及びＣＣＲ７から選択される少なく一つのマーカー、及び／または、ＩＬ−６、ＴＮＦ−α及びＣＣＬ−２から成る群から選択される少なくとも一つのサイトカインとを発現することを特徴とする請求項１又は２に記載の抗ＳＩＲＰａ化合物。
【請求項４】
前記癌は固形癌であることを特徴とする請求項１〜３のいずれか１項に記載の抗ＳＩＲＰａ化合物。
【請求項５】
前記癌は肺癌、卵巣癌、肝臓癌、膀胱癌、脳癌、乳癌、結腸癌、胸腺腫、神経膠腫、黒色腫、白血病及び骨髄腫、特に肝細胞癌又は黒色腫から成る群より選択されることを特徴とする請求項１〜４のいずれか１項に記載の抗ＳＩＲＰａ化合物。
【請求項６】
前記抗ＳＩＲＰａ化合物はＳＩＲＰａ陰性腫瘍を呈している患者に投与することを特徴とする請求項１〜５のいずれか１項に記載の抗ＳＩＲＰａ化合物。
【請求項７】
前記抗ＳＩＲＰａ化合物は第２の治療剤と併用することを特徴とする請求項１〜６のいずれか１項に記載の抗ＳＩＲＰａ化合物。
【請求項８】
前記第２の治療剤は化学療法剤、放射線療法剤、外科手術剤、治療用ワクチンと免疫チェックポイント遮断薬又は活性化剤とから成る群より選択される免疫療法剤、抗生物質及びプロバイオティクスから成る群より選択されることを特徴とする請求項７に記載の抗ＳＩＲＰａ化合物。
【請求項９】
前記第２の治療剤は、治療用ワクチン及び免疫チェックポイント遮断薬又は活性化剤から成る群より選択される免疫療法剤であることを特徴とする請求項８に記載の抗ＳＩＲＰａ化合物。
【請求項１０】
前記第２の治療剤は抗ＰＤＬ１、抗ＰＤ１、抗ＣＴＬＡ４及び抗ＣＤ１３７から成る群より選択される免疫チェックポイント遮断薬又は活性化剤であることを特徴とする請求項９に記載の抗ＳＩＲＰａ化合物。
【請求項１１】
前記第２の治療剤は、抗ＰＤ１及び抗ＰＤＬ１から成る群より選択される免疫チェックポイント遮断薬又は活性化剤であることを特徴とする請求項９に記載の抗ＳＩＲＰａ化合物。
【請求項１２】
前記第２の治療剤は、抗ＣＤ１３７であることを特徴とする請求項９に記載の抗ＳＩＲＰａ化合物。
【手続補正２】
【補正対象書類名】明細書
【補正対象項目名】発明の名称
【補正方法】変更
【補正の内容】
【発明の名称】炎症促進性細胞へのマクロファージ分極を改変して癌を治療するための抗ＳＩＲＰａ化合物
【手続補正書】
【提出日】令和1年10月24日(2019.10.24)
【手続補正１】
【補正対象書類名】明細書
【補正対象項目名】発明の名称
【補正方法】変更
【補正の内容】
【発明の名称】フェノール性ヒドロキシル基を介して連結された薬学的に活性なアセトアミノフェン二量体を用いた疼痛を治療する方法
【手続補正２】
【補正対象書類名】特許請求の範囲
【補正対象項目名】全文
【補正方法】変更
【補正の内容】
【特許請求の範囲】
【請求項１】
その対象の症状が肝蛭症（fascioliasis）以外の状態から生じる対象の、急性又は慢性疼痛を治療するための医薬組成物であって、
式（１）:
【化１】
2018531275.tif 000001
を有するアセトアミノフェン二量体化合物又はその薬学的に許容される塩若しくは溶媒和物を含有する、医薬組成物。
【請求項２】
薬学的に許容される担体又は賦形剤をさらに含有する、請求項１に記載の医薬組成物。
【請求項３】
前記対象が、急性疼痛を経験している、請求項１又は２に記載の医薬組成物。
【請求項４】
前記対象が、慢性疼痛を経験している、請求項１又は２に記載の医薬組成物。
【請求項５】
前記対象が、胃腸酸過剰（gastrointestinal acidity）又は胃腸逆流症（gastrointestinal reflux disease）（GERD）を患っている、請求項１から４のいずれか一項に記載の医薬組成物。
【請求項６】
前記対象が、癌を患っている、請求項１から５のいずれか一項に記載の医薬組成物。
【請求項７】
前記医薬組成物が、バルビツール酸塩、オピオイド、抗ヒスタミン剤、カフェイン、ジフェンヒドラミン、デキストロメトルファン、プソイドエフェドリン又はそれらの組み合わせ、をさらに含有する、請求項１から６のいずれか一項に記載の医薬組成物。